(57)【特許請求の範囲】
【請求項１】
筐体の上面部に設けられた複数のキーと、
底面を備えた凹部を有し、前記上面部の前記キー以外の位置に設けられ小物品を前記底面に載置する物品載置部と、
前記凹部の前記底面とは反対側に臨ませて位置し、前記小物品を前記物品載置部の前記底面に固着させる固着部材と、
を備えたキーボード装置。
【請求項２】
前記筐体の前記キー以外の位置にカードに記憶された情報を読み取るカードリーダをさらに設け、
前記物品載置部と前記カードリーダを前記筐体の幅方向に並べて配置した、
請求項１に記載のキーボード装置。
【請求項３】
前記固着部材は磁石であり、
前記物品載置部と前記カードリーダの間に、前記カードリーダによる前記カードの読取りの前記磁石による影響を緩和する緩和部を設けた、
請求項２に記載のキーボード装置。
【請求項４】
前記固着部材は磁石であり、
前記カードリーダは磁気的に前記情報を読み取るヘッドを備え、
前記ヘッドによる前記情報の読取りの前記磁石による影響を緩和するよう前記磁石と前記ヘッドとを前記幅方向に離して配置し、前記磁石は、前記物品載置部にある金属で形成された前記小物品を前記底面に固着し、前記物品載置部は、前記磁石と前記ヘッドとの間の位置において、非金属の前記小物品を載置する、
請求項２に記載のキーボード装置。
【請求項５】
前記カードリーダは、前記筐体の幅方向に細長い形状のスリットを有し、
前記ヘッドは、前記磁石に近い側の前記スリットに挿入され前記磁石から離れる方向に走査される媒体から情報を読み取る、
請求項４に記載のキーボード装置。
【発明の詳細な説明】
【技術分野】
【０００１】
本発明の実施形態は、キーボード装置に関する。
【背景技術】
【０００２】
従来より、ＰＯＳ（Point  of  Sales）端末やコンピュータ等の情報処理装置の入力装置としてキーボード装置が使用されている。例えば店舗に設置されたＰＯＳ端末のキーボード装置は、顧客との商品の取引の操作に使用する。
【０００３】
このようなキーボード装置には、凹状の物品載置部を形成したものがある。この物品載置部は、顧客との取引業務に使用するペンや印鑑等、あるいは、取引時に取り外されたステープラーの針やクリップ等の小物品の載置に用いられている。
【０００４】
しかしながら、物品載置部に載置された小物品がキーの隙間からキーボード装置内に落下することがあり、キーボード装置の動作不良の原因となっていた。
【発明の概要】
【発明が解決しようとする課題】
【０００５】
本発明が解決しようとする課題は、載置した小物品を内部に落下させないキーボード装置を提供することである。
【課題を解決するための手段】
【０００６】
実施形態のキーボード装置は、筐体の上面部に設けられた複数のキーと、底面を備えた凹部を有し、前記上面部の前記キー以外の位置に設けられ小物品を前記底面に載置する物品載置部と、前記凹部の前記底面とは反対側に臨ませて位置し、前記小物品を前記物品載置部の前記底面に固着させる固着部材と、を備える。
【図面の簡単な説明】
【０００７】
【図１】図１は、第１実施形態に係るＰＯＳ端末とキーボード装置の外観を示す図である。
【図２】図２は、キーボード装置のＡ−Ａ部分断面図である。
【図３】図３は、第２実施形態に係るキーボード装置のＡ−Ａ部分断面図である。
【発明を実施するための形態】
【０００８】
以下、図１〜図３を参照して、実施形態に係るキーボード装置について詳細に説明する。以下に説明する第１および第２実施形態によりこの発明が限定されるものではない。
【０００９】
（第１実施形態）
図１は、第１実施形態に係るＰＯＳ端末１とキーボード装置２の外観を示す図である。
【００１０】
ＰＯＳ端末１は、顧客が購入する商品の売上登録と決済を行う装置である。ＰＯＳ端末１は、顧客が購入する商品の売上登録処理および会計処理を実行する。売上登録処理とは、商品に付されたバーコード等のコードを光学的に読み取るか、キーボード装置２を操作して入力した商品コードに基づく当該商品の商品名や価格（商品情報）を表示するとともに、商品情報をバッファに記憶する処理をいう。決済処理とは、売上登録処理に伴いバッファに記憶された商品情報に基づいて、商品の合計金額の表示、顧客から預かった預り金に基づいて実行する処理をいう。
【００１１】
ＰＯＳ端末１は、通信回線３を介してキーボード装置２と電気的に接続されており、キーボード装置２から入力された情報を入力する。ＰＯＳ端末１は、本体部１１と表示部１２を有している。
【００１２】
本体部１１は、内部に電源を供給する電源部、コンピュータの構成であるＣＰＵ（Central  Processing  Unit）、ＲＯＭ（Read  Only  Memory）、ＲＡＭ（Random  Access  Memory）等を有し、ＰＯＳ端末１を制御する制御部（いずれも図示せず）等を内蔵している。
【００１３】
表示部１２は、例えば液晶パネルで構成されており、売上登録された商品の商品情報や決済処理された商品の決済情報等を表示する。また、表示部１２は、ＰＯＳ端末１の操作に係る各種キーを表示する。表示部１２の表面には、タッチパネル１３が設けられている。ＰＯＳ端末１は、表示部１２に表示されたキーに対応する位置のタッチパネル１３をタッチすることで、当該キーのキー信号を入力する。
【００１４】
キーボード装置２は、ＰＯＳ端末１の直前に配置し使用される。キーボード装置２は、幅方向Ｗが奥行方向Ｄより長い略長方形状の筐体２０を有している。また、キーボード装置２の筐体２０は、奥側２８が手前側２７より若干高くなっている。そして、キーボード装置２の上面である上面部２６は、奥側２８に水平な平面である水平部３０と、水平部３０から手前側２７に向けて下る傾斜面２９とを有している。
【００１５】
キーボード装置２は、傾斜面２９に複数のキー２１を備えている。キー２１は、ＰＯＳ端末１の売上登録処理に係る商品を特定する商品コードを入力するＰＬＵ（Price  Look  Up）キー、数字を入力する置数キー、顧客との取引の終了を入力する締めキー、ＰＯＳ端末１を設定するために諸情報を入力するアルファベットキー等を含む。また、キー２１は、よく使う機能をプリセットしたプリセットキーを含む。実施形態では、キーボード装置２の左側にＰＬＵキーが配置され、キーボード装置２の右側に置数キー、締めキー、アルファベットキー、プリセットキーが配置されている。キーボード装置２は、操作されたキー２１に応じた情報を、通信回線３を介してＰＯＳ端末１に送信する。
【００１６】
また、キーボード装置２は、水平部３０の左側部に鍵スイッチ２２、ランプ２３を備えている。鍵スイッチ２２は、ＰＯＳ端末１の動作モードを鍵を回動させて切り換えるためのスイッチである。ランプ２３は、ＬＥＤ（Light  Emitting  Diode）で構成されており、ＰＯＳ端末１の動作モードに応じて点灯する。
【００１７】
また、キーボード装置２は、水平部３０の右側部の位置（筐体２０のキー２１以外の位置）にカードリーダ２４を備える。カードリーダ２４は、顧客との取引において、カード決済に使用されるクレジットカード等の磁気ストライプに記憶されたカード情報を読取るための装置である。カード情報とは、カードを特定するカード番号、カードを所有する顧客の個人情報等である。カードリーダ２４は、幅方向Ｗに沿ったスリット２４ａを有する。
【００１８】
また、キーボード装置２は、水平部３０のランプ２３とカードリーダ２４との間の位置（筐体２０のキー２１以外の位置）に、物品載置部２５を備える。物品載置部２５は、幅方向Ｗに沿って凹形状の凹部２５ａを有する。
【００１９】
カードリーダ２４のスリット２４ａと物品載置部２５とは、水平部３０において、キーボード装置２の幅方向Ｗに沿って略一直線状に並べて配置されている。すなわち、カードリーダ２４と物品載置部２５は、キーボード装置２のキー２１より上部位置において、幅方向Ｗに略一直線状に並べて配置されている。このような位置に配置することで、カードリーダ２４と物品載置部２５は、キー２１の操作の邪魔にならない。
【００２０】
図２は、図１のＡ−Ａで断面し、手前側２７から見たカードリーダ２４の一部および物品載置部２５を示す断面図である。図２において、カードリーダ２４は、スリット２４ａの中央部付近に磁気ストライプからカード情報を読取るためのヘッド２４ｂを備える。ヘッド２４ｂは、スリット２４ａを走査されるカードがヘッド２４ｂを通過する際に、磁気ストライプに磁気的に記憶されたカード情報を読取る。
【００２１】
操作者は、スリット２４ａの左端部にカードを挿入して、左から右にスリット２４ａに沿って矢印Ｙ方向にカードを走査する。カードリーダ２４は、走査されるカードからカード情報を読取る。その後操作者は、走査したカードをスリット２４ａの右端から右側に抜いて取去る。
【００２２】
物品載置部２５は、筐体２０内の凹部２５ａに臨ませた位置に磁石２５ｂを固定的に備えている。凹部２５ａに臨ませた位置とは、筐体２０内において、物品載置部２５の底面２５ｃの反対側に接した位置でもよいし、凹部２５ａの反対側から離れた位置でもよい。この磁石２５ｂは、物品載置部２５に載置された小物品のうち金属である小物品を凹部２５ａの底面２５ｃに吸着（固着）して載置する。すなわち、物品載置部２５は小物品を固着的に載置する。小物品とは、ＰＯＳ端末１を操作する操作者が顧客との取引において必要となる物品をいう。例えば、伝票等の用紙を留めるのに使用され、取り外されたステープラーの針Ｃ２やクリップＣ１、また、鉛筆Ｃ３やボールペンや消しゴム等の筆記用具、印鑑等である。実施形態では、金属で形成されているステープラーの針Ｃ２やクリップＣ１の小物品は、磁石２５ｂの磁力によって凹部２５ａの底面２５ｃに吸着されて物品載置部２５に載置されている。鉛筆Ｃ３は、非金属であるため、磁石２５ｂの磁力によって凹部２５ａの底面２５ｃに吸着されることなく物品載置部２５に載置される。
【００２３】
なお、磁石２５ｂの磁力は、小物品を吸着する程度の弱い磁力であるが、磁石２５ｂの設置位置は、可能な限りカードリーダ２４のヘッド２４ｂから離れた位置とする。磁気的にカード情報を読取るヘッド２４ｂと磁石２５ｂとの距離を離すことで、ヘッド２４ｂでカード情報を読取る際に磁石２５ｂからの磁気の影響が緩和される。ここでいう磁気の影響の緩和とは、磁気の影響を全く受けないこと、磁気の影響を低減することのいずれであってもよい。
【００２４】
また、磁石２５ｂをカードリーダ２４のヘッド２４ｂから離れた位置に設置することにより、金属製の小物品は物品載置部２５の左側（鍵スイッチ２２やランプ２３が設けられている側）に吸着して載置される。磁石２５ｂに吸着されない筆記用具や印鑑等の小物品は、物品載置部２５の右側（カードリーダ２４側）に載置される。そのため、物品載置部２５は、磁石２５ｂに吸着される小物品と磁石２５ｂに吸着されない小物品とを分けて載置することができ、物品載置部２５内において小物品を整理することができる。
【００２５】
なお、物品載置部２５の凹部２５ａの中心部の深さは数ｍｍ程度である。そのため、小物品を物品載置部２５から取り出す際、磁石２５ｂに吸着されていても支障なく取り出せる。
【００２６】
また、キーボード装置２は、筐体２０の内部であって、かつカードリーダ２４と物品載置部２５の間に、シールド部３１（緩和部）を備える。シールド部３１は磁気を遮断する強磁性体（例えば鉄やニッケル）で構成されている。そのため、物品載置部２５に設けられた磁石２５ｂから放射された磁気の全部または一部をシールド部３１が遮断する。このようなシールド部３１は、ヘッド２４ｂでカード情報の読取る際における、磁石２５ｂからの磁気の影響を緩和する。シールド部３１は、磁石２５ｂから放射された磁気（磁力線）に対して垂直方向に平面状の遮断面３１ａを形成した板状形状であることが望ましい。また、シールド部３１は、ヘッド２４ｂを囲むように形成されることが望ましい。このような形状のシールド部３１であれば、効率よく磁気を遮断することができる。
【００２７】
このような第１実施形態によれば、キーボード装置２の物品載置部２５に載置した金属製の小物品は、磁石２５ｂの磁力によって物品載置部２５に吸着して保持される。そのため、物品載置部２５に載置された小物品がキー２１の隙間からキーボード装置２の内部に落下することがない。
【００２８】
（第２実施形態）
ここからは、図３を用いて第２実施形態について説明する。図３は、第２実施形態に係るＰＯＳ端末１とキーボード装置２の外観を示す図である。なお、図１を用いて説明した事項は第２実施形態にも適用されるが、すでに第１実施形態として説明しているのでここでは説明を省略する。また、図３において、図２と同様の構成については説明を省略する。
【００２９】
図３において、物品載置部２５は、磁石２５ｂの代わりに、凹部２５ａの底面２５ｃに粘着性部材２５ｄを設けている。粘着性部材２５ｄは粘着性を有しており、例えばシリコン素材やウレタン系エラストマー素材の粘着シートである。粘着性部材２５ｄは底面２５ｃに固定的に貼付されているか底面２５ｃと一体的に形成されている。
【００３０】
物品載置部２５は、凹部２５ａのほぼ全体に粘着性部材２５ｄを設けている。このような物品載置部２５は、例えばステープラーの針Ｃ２やクリップＣ１等の金属製小物品を底面２５ｃに粘着（固着）して保持する。また物品載置部２５は、鉛筆Ｃ３やボールペンや消しゴム等の筆記用具や印鑑等の小物品も、底面２５ｃに粘着（固着）して保持する。すなわち、物品載置部２５は物品載置部２５に載置されたすべての小物品を固着的に載置する。実施形態では、クリップＣ１、ステープラーの針Ｃ２および鉛筆Ｃ３が粘着性部材２５ｄによって底面２５ｃに粘着された状態で物品載置部２５に載置されている。なお、第２実施形態では、シールド部３１は設けられていない。
【００３１】
このような第２実施形態によれば、キーボード装置２の物品載置部２５に載置した金属製の小物品、および筆記用具や印鑑等の非金属の小物品は、粘着性部材２５ｄの粘着性によって物品載置部２５に粘着して保持される。そのため、物品載置部２５に載置された小物品がキー２１の隙間からキーボード装置２の内部に落下することがない。また、物品載置部２５に載置した小物品がキーボード装置２から外部に落下することもない。
【００３２】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれるとともに、特許請求の範囲に記載された発明とその均等の範囲に含まれる。
【００３３】
例えば実施形態では、小物品として、ステープラーの針Ｃ２やクリップＣ１、鉛筆Ｃ３やボールペンや消しゴム等の筆記用具、印鑑を例示したが、物品載置部２５に載置する小物品であれば何であってもよい。
【００３４】
また、実施形態では、物品載置部２５はカードリーダ２４と幅方向Ｗに並列して設けられているとしたが、必ずしもカードリーダ２４と幅方向Ｗに並列していなくてもよい。また、キーボード装置２は、カードリーダ２４を備えていなくてもよい。
【００３５】
また、実施形態では、物品載置部２５をキー２１の奥側２８に設けたが、必ずしも奥側２８でなくてもよく、キー２１以外の位置であればよい。
【００３６】
また、第２実施形態で、粘着性部材２５ｄとしてシリコン素材やウレタン素材のシートを例示したが、それ以外の粘着性部材であってもよい。
【００３７】
また、第２実施形態では、凹部２５ａのほぼ全体に粘着性部材２５ｄを設けたが、必ずしも凹部２５ａのほぼ全体に設けなくてもよく、クリップＣ１やステープラーの針Ｃ２を載置する位置に粘着性部材２５ｄを設け、鉛筆Ｃ３を載置する位置には粘着性部材２５ｄを設けなくてもよい。この場合、クリップＣ１やステープラーの針Ｃ２は粘着性部材２５ｄに粘着されるが鉛筆Ｃ３は粘着性部材２５ｄによって粘着されない。そのため、鉛筆Ｃ３は物品載置部２５からスムーズに取り出すことができる。
【００３８】
また、実施形態では、ＰＯＳ端末１と接続しているキーボード装置２を説明したが、キーボード装置２はＰＯＳ端末１以外の情報処理装置と接続されていてもよい。またキーボード装置２は、他の装置と接続されていなくてもよい。
【符号の説明】
【００３９】
１      ＰＯＳ端末
２      キーボード装置
２１    キー
２４    カードリーダ
２４ａ  スリット
２４ｂ  ヘッド
２５    物品載置部
２５ａ  凹部
２５ｂ  磁石
２５ｃ  底面
２５ｄ  粘着性部材
２６    上面部
２７    手前側
２８    奥側
２９    傾斜面
３０    水平部
３１    シールド部
３１ａ  遮断面
【先行技術文献】
【特許文献】
【００４０】
【特許文献１】特開２００９−９４７９号公報
【図１】
0006302872.tif 000002
【図２】
0006302872.tif 000003
【図３】
0006302872.tif 000004